(57)【要約】【課題】棚板が水平となった状態と、前部が低く、後部が高く傾斜した状態とに簡単な操作で確実に切り換えることができるショーケースの棚装置を提供する。【解決手段】棚板１３を前方に引き出した状態で傾斜操作部材１７の操作部３９を引き上げ、棚板を後方に押し込んだ場合、当接部４１は案内部１８に当接せず、棚板は水平になる。棚板を前方に引き出した状態で傾斜操作部材の操作部を押し下げたとき、傾斜操作部材の上縁は棚板の下面に当接し、棚板を後方に押し込んだ場合、当接部の下縁は案内部に当接し、案内部の傾斜によって棚板の後部を前部より高く押し上げ、棚板は前部が低く、後部が高く傾斜する。【選択図】図１０
2019076183.tif 000002
【特許請求の範囲】
【請求項１】
ショーケースの陳列室内に設けられた左右一対のブラケットと、これらブラケットにスライドレールを介して引き出し自在に設けられ、商品を陳列する棚板を備えたショーケースの棚装置において、
前記棚板に回動自在に取り付けられ、前部に操作部と後部に当接部を一体に有して前後に渡る傾斜操作部材と、
前記ブラケットに設けられ、前部が低く、後部が高く傾斜した案内部を備え、
前記棚板は、その前部が前記スライドレールに回動自在に取り付けられており、
前記棚板を前方に引き出した状態で前記傾斜操作部材の操作部を引き上げ、その状態で前記棚板を後方に押し込んだ場合、前記当接部は前記案内部に当接せず、前記棚板は水平になると共に、
前記棚板を前方に引き出した状態で前記傾斜操作部材の操作部を押し下げたとき、当該傾斜操作部材の上縁は前記棚板の下面に当接し、その状態で前記棚板を後方に押し込んだ場合、前記当接部の下縁は前記案内部に当接し、該案内部の傾斜によって前記棚板の後部を前部より高く押し上げ、当該棚板は前部が低く、後部が高く傾斜することを特徴とするショーケースの棚装置。
【請求項２】
前記傾斜操作部材を回動自在に枢支する回動軸は、当該傾斜操作部材の重心よりも前方に位置していることを特徴とする請求項１に記載のショーケースの棚装置。
【請求項３】
前記傾斜操作部材の前後方向の長さ寸法をＬとした場合、前記回動軸は、前記傾斜操作部材の重心よりも前方であって、当該傾斜操作部材の前端よりＬ／３以上後方で、且つ、後端よりＬ／３以上前方の範囲内に位置していることを特徴とする請求項２に記載のショーケースの棚装置。
【請求項４】
前記傾斜操作部材が前記棚板に当接した状態を着脱自在に保持する保持部材を備えたことを特徴とする請求項１乃至請求項３に記載のショーケースの棚装置。
【請求項５】
前記棚板と前記傾斜操作部材のうちの少なくとも一方は磁性体にて構成されており、
前記保持部材は、磁石にて構成されていることを特徴とする請求項４に記載のショーケースの棚装置。
【請求項６】
前記傾斜操作部材の当接部下縁は、後方に向かって高く傾斜していることを特徴とする請求項１乃至請求項５のうちの何れかに記載のショーケースの棚装置。
【請求項７】
前記案内部の少なくとも表面は、樹脂製の滑り材にて構成されていることを特徴とする請求項１乃至請求項６のうちの何れかに記載のショーケースの棚装置。
【発明の詳細な説明】
【技術分野】
【０００１】
本発明は、棚板が引き出し自在とされたショーケースの棚装置に関するものである。
【背景技術】
【０００２】
従来よりコンビニエンスストアやスーパーマーケット等の店舗には商品を陳列販売するためのショーケースが設置されている。そして、ショーケースの陳列室内には、左右一つのブラケットが取り付けられ、これらブラケットにスライドレールを介して棚板を引き出し自在に設け、商品を補充する際には棚板を前方（手前）に引き出すことができるように構成されていた（例えば、特許文献１参照）。
【先行技術文献】
【特許文献】
【０００３】
【特許文献１】特許第３６０１０２２号公報
【発明の概要】
【発明が解決しようとする課題】
【０００４】
ここで、陳列室内の棚板上に商品が陳列された場合、棚板を前部が低く、後部が高く傾斜させることで、商品が見やすくなる。しかしながら、従来の棚板はブラケットに対して平行となった状態で引出自在に取り付けられていたため、棚板を傾斜させるためには、ブラケット自体を傾斜させなければならず、作業が極めて面倒なものとなっていた。
【０００５】
本発明は、係る従来の技術的課題を解決するために成されたものであり、棚板が水平となった状態と、前部が低く、後部が高く傾斜した状態とに簡単な操作で確実に切り換えることができるショーケースの棚装置を提供することを目的とする。
【課題を解決するための手段】
【０００６】
本発明のショーケースの棚装置は、ショーケースの陳列室内に設けられた左右一対のブラケットと、これらブラケットにスライドレールを介して引き出し自在に設けられ、商品を陳列する棚板を備えたものであって、棚板に回動自在に取り付けられ、前部に操作部と後部に当接部を一体に有して前後に渡る傾斜操作部材と、ブラケットに設けられ、前部が低く、後部が高く傾斜した案内部を備え、棚板は、その前部がスライドレールに回動自在に取り付けられており、棚板を前方に引き出した状態で傾斜操作部材の操作部を引き上げ、その状態で棚板を後方に押し込んだ場合、当接部は案内部に当接せず、棚板は水平になると共に、棚板を前方に引き出した状態で傾斜操作部材の操作部を押し下げたとき、当該傾斜操作部材の上縁は棚板の下面に当接し、その状態で棚板を後方に押し込んだ場合、当接部の下縁は案内部に当接し、この案内部の傾斜によって棚板の後部を前部より高く押し上げ、当該棚板は前部が低く、後部が高く傾斜することを特徴とする。
【０００７】
請求項２の発明のショーケースの棚装置は、上記発明において傾斜操作部材を回動自在に枢支する回動軸は、当該傾斜操作部材の重心よりも前方に位置していることを特徴とする。
【０００８】
請求項３の発明のショーケースの棚装置は、上記発明において傾斜操作部材の前後方向の長さ寸法をＬとした場合、回動軸は、傾斜操作部材の重心よりも前方であって、当該傾斜操作部材の前端よりＬ／３以上後方で、且つ、後端よりＬ／３以上前方の範囲内に位置していることを特徴とする。
【０００９】
請求項４の発明のショーケースの棚装置は、上記各発明において傾斜操作部材が棚板に当接した状態を着脱自在に保持する保持部材を備えたことを特徴とする。
【００１０】
請求項５の発明のショーケースの棚装置は、上記発明において棚板と傾斜操作部材の少なくとも一方は磁性体にて構成されており、保持部材は、磁石にて構成されていることを特徴とする。
【００１１】
請求項６の発明のショーケースの棚装置は、上記各発明において傾斜操作部材の当接部下縁は、後方に向かって高く傾斜していることを特徴とする。
【００１２】
請求項７の発明のショーケースの棚装置は、上記各発明において案内部の少なくとも表面は、樹脂製の滑り材にて構成されていることを特徴とする。
【発明の効果】
【００１３】
本発明によれば、ショーケースの陳列室内に設けられた左右一対のブラケットと、これらブラケットにスライドレールを介して引き出し自在に設けられ、商品を陳列する棚板を備えたショーケースの棚装置において、前部に操作部と後部に当接部を一体に有して前後に渡る傾斜操作部材を棚板に回動自在に取り付け、前部が低く、後部が高く傾斜した案内部をブラケットに設け、棚板の前部をスライドレールに回動自在に取り付け、棚板を前方に引き出した状態で傾斜操作部材の操作部を引き上げ、その状態で棚板を後方に押し込んだ場合、当接部は案内部に当接せず、棚板は水平になるようにすると共に、棚板を前方に引き出した状態で傾斜操作部材の操作部を押し下げたとき、当該傾斜操作部材の上縁が棚板の下面に当接し、その状態で棚板を後方に押し込んだ場合、当接部の下縁が案内部に当接し、この案内部の傾斜によって棚板の後部を前部より高く押し上げ、当該棚板が、その前部が低く、後部が高く傾斜するようにしたので、棚板を引き出し、次に傾斜操作部材を引き上げ／押し下げ、最後に棚板を押し込むと云った簡単な操作のみで、棚板が水平となる状態と、前部が低く、後部が高く傾斜した状態とに切り換えることができるようになる。
【００１４】
特に傾斜操作部材は、前部に操作部と後部に当接部を一体に有する構成とされているので、構造が簡素化されると共に、動作も単純なものとなるので、部品・組立のバラツキにより切り換えが行えなくなる不都合の発生も防止、若しくは、抑制することが可能となり、棚板の状態を確実に切り換えることができるようになるものである。
【００１５】
また、請求項２の発明によれば、傾斜操作部材を回動自在に枢支する回動軸を、当該傾斜操作部材の重心よりも前方に位置させたので、傾斜操作部材前部の操作部が引き上げられた状態を、自重により維持することができるようになる。これにより、傾斜操作部材の状態が不安定となって棚板の状態を切り換える作業に支障を来す不都合も未然に回避することができるようになる。
【００１６】
この場合、請求項３の発明の如く傾斜操作部材の前後方向の長さ寸法をＬとした場合、回動軸を、傾斜操作部材の重心よりも前方であって、当該傾斜操作部材の前端よりＬ／３以上後方で、且つ、後端よりＬ／３以上前方の範囲内に位置させることで、前部の操作部の引き上げ／押し下げの操作感を維持しながら、後部における当接部の上下位置の変化幅を十分にとって、棚板の状態の切り換えを確実に行うことができるようになる。
【００１７】
更に、請求項４の発明の如く傾斜操作部材が棚板に当接した状態を着脱自在に保持する保持部材を設けることで、棚板を傾斜した状態に切り換える際、傾斜操作部材の操作部を押し下げるのみで、傾斜操作部材の状態を保持させることができるようになる。これにより、傾斜操作部材を押し下げながら棚板を押し込むという面倒な作業を排除し、操作性の向上を図ることができるようになる。
【００１８】
この場合、請求項５の発明の如く棚板と傾斜操作部材の少なくとも一方を磁性体にて構成し、保持部材を磁石にて構成することで、傾斜操作部材が棚板に当接した状態を、簡単な構成で着脱自在に保持することができるようになる。
【００１９】
更にまた、請求項６の発明の如く傾斜操作部材の当接部下縁を、後方に向かって高く傾斜させることで、傾斜操作部材の操作部を押し下げた状態で棚板を押し込んだときに、当接部の下縁が案内部に噛み込み、引っ掛かってしまう等の不都合を回避し、当接部を案内部の傾斜に沿って円滑に移動させることが可能となる。これにより、棚板を傾斜した状態に切り換える作業が円滑化される。
【００２０】
また、請求項７の発明の如く案内部の少なくとも表面を、樹脂製の滑り材にて構成することで、当接部を案内部の傾斜に沿って極めて円滑に移動させることができるようになる。特に、前記請求項６の発明の如く当接部の下縁を、後方に向かって高く傾斜させた場合には、当接部の下縁が案内部の滑り材に食い込んでしまうことも防止できるものである。
【図面の簡単な説明】
【００２１】
【図１】本発明を適用した一実施例のショーケースの縦断側面図である。
【図２】本発明を適用した一実施例の棚装置の水平状態での斜視図である。
【図３】図２の棚装置の側面図である。
【図４】図３の棚装置前部の拡大側面図である。
【図５】図２の棚装置側部の裏面斜視図である。
【図６】図２の棚装置側部の正面図である。
【図７】図２の棚装置の棚板を引き出した状態の側面図である。
【図８】図７の棚装置側部の裏面斜視図である。
【図９】傾斜操作部材の操作部を押し下げた状態の図７の棚装置の斜視図である。
【図１０】図９の棚装置の側面図である。
【図１１】図９の状態から棚板を押し込み、傾斜させた状態の棚装置の斜視図である。
【図１２】図１１の棚装置の側面図である。
【図１３】図１１の棚装置前部の拡大側面図である。
【図１４】図１１の棚装置側部の裏面斜視図である。
【発明を実施するための形態】
【００２２】
以下、本発明の実施の形態について、図面に基づき詳細に説明する。実施例のショーケース１は、コンビニエンスストア等の店舗に設置されて商品を冷却しながら陳列する冷蔵冷凍タイプの縦型オープンショーケースである。ショーケース１の本体２は断面コ字状の断熱壁から構成されており、図１では示さないが、実際にはこの本体２の両側に断熱壁から成る側板が取り付けられることになる。
【００２３】
ショーケース１の本体２の内側には、間隔を存して仕切板３が取り付けられており、この仕切板３と本体２の間がダクト４とされ、仕切板３の内側が前面に開口する陳列室６とされている。ダクト４の上部前端には、陳列室６の開口上縁に位置して吹出口７が形成され、ダクト４の下部前端には、陳列室６の開口下縁に位置して吸込口８が形成されているい。
【００２４】
また、ダクト４内には蒸発器９と送風機１１が配設されており、この送風機１１により、蒸発器９と熱交換した冷気がダクト４内を吹き上げられ、吹出口７から陳列室６の開口に吹き出される。吹出口７から吹き出された冷気は、陳列室６の開口に冷気エアーカーテンを形成すると共に、陳列室６内を循環して所定の温度（冷蔵又は冷凍温度）に冷却する。この冷気エアーカーテンを形成する冷気及び陳列室６内を循環した冷気は吸込口８からダクト４内に流入し、再び送風機１１に吸い込まれる循環を繰り返す。
【００２５】
そして、陳列室６内には本発明の商品陳列用の棚装置１２が複数段（実施例では上下に８段）設けられている。尚、本発明の棚装置１２は、棚板１３を後方に押し込んで陳列室６内に位置させた状態と、前方（手前）に引き出した状態とに切り換えられる引き出し自在の棚装置であり、更に後述する如く棚板１３を水平とした状態と、前部が低く、後部が高く傾斜した状態とに切り換え可能とされている。
【００２６】
図１〜図８は棚板１３が水平とされた状態の棚装置１２を示している。次に、これらの図面を参照しながら本発明の一実施例の棚装置１２の構造について説明する。実施例の棚装置１２は、陳列室６内に取り付けられた左右一対のブラケット１４と、商品を載置して陳列するための前述した棚板１３と、この棚板１３を各ブラケット１４に引き出し自在に取り付けるための左右一対のスライドレール１６と、棚板１３に取り付けられた左右一対の傾斜操作部材１７と、各ブラケット１４の外側の面にそれぞれ取り付けられた案内部１８等から構成されている。
【００２７】
前記各ブラケット１４は比較的圧肉の鋼板から構成されており、その後端には複数の係合爪２１が形成され、左右のブラケット１４の係合爪２１が、陳列室６の背面の仕切板３の左右両側に設けられた上下方向の支柱２２の係合孔２３（図６）にそれぞれ係脱自在に係合され、各支柱２２から前方に延在して取り付けられている。尚、棚装置１２の後方に位置する支柱２２の係合孔２３は図６では省略している。また、左右のブラケット１４の後部には補強材２６が取り付けられ、各ブラケット１４間に渡っている。
【００２８】
前記案内部１８は左右のブラケット１４の前後方向の中央よりも少許前側に位置して、各ブラケット１４の外側の面にそれぞれ取り付けられている（図７）。実施例の案内部１８は鋼板にて構成されており、各ブラケット１４から外方に向かって張り出している。また、案内部１８は前部が低く、後部が高く所定角度で傾斜しており、その上面には例えばフッ素樹脂製の滑り材２４がコーティングされている。
【００２９】
前記各スライドレール１６は、固定レール２７と、移動レール２８と、これらを前後方向にスライド自在に連結する中間レール２９と、固定レール２７に対する移動レール２８の移動を係脱自在に規制するために前端に設けられたストッパ３１と、棚取付板３２等から構成されている。そして、固定レール２７が各ブラケット１４の内側の面にそれぞれ取り付けられると共に、移動レール２８に棚取付板３２が取り付けられている。この棚取付板３２は、各スライドレール１６のレール２７〜２９及び各ブラケット１４の上側を回って、各ブラケット１４の外側まで渡っている（図６）。
【００３０】
実施例の棚板１３は、鋼板（磁性体）にて構成された枠状の棚板本体３３と、この棚板本体３３の前部に取り付けられた透明なガラス板３４と、棚板本体３３の前部両側下面に取り付けられた棚板側板３６等から構成されている。そして、この棚板側板３６の前部（棚板１３の前部）が、水平方向に軸芯を有する回動軸３７にて前記スライドレール１６の棚取付板３２に回動自在に枢支されている。また、棚板本体３３の両側の後部には、保持部材としての磁石３８がそれぞれ取り付けられている。
【００３１】
前記傾斜操作部材１７は、  棚板１３の前後寸法に略等しい長さの鋼板（磁性体）にて構成されており、前部に操作部３９、後部に当接部４１を一体に有している。操作部３９の上下縁は内側に直角に折曲されて、手指による操作を行いやすいように構成されている。また、当接部４１の下縁も内側に直角に折曲され、更に後方に延在したヒレ部４１Ａが一体に形成されている。そして、この当接部４１のヒレ部４１Ａは、後方に向かって高く傾斜している。
【００３２】
また、この当接部４１より少許操作部３９側の傾斜操作部材１７の上縁も内側に直角に折曲され、そこに傾斜保持部４２が形成されている。このような傾斜操作部材１７は、水平方向に軸芯を有する回動軸４３にて棚板１３両側の棚板側板３６の外側にそれぞれ回動自在に枢支されている。この状態で、各傾斜操作部材１７は各棚板側板３６の外側に位置し、前後に渡っている。また、回動軸４３は、傾斜操作部材１７の重心よりも前方に位置している。更に、傾斜操作部材１７の前後方向に長さ寸法をＬとした場合に、回動軸は４３の位置は、傾斜操作部材１７の前端よりＬ／３以上後方であって、傾斜操作部材１７の後端よりＬ／３以上前方の領域の範囲内に設定されている。
【００３３】
尚、傾斜保持部４２は回動軸４３よりも後側（当接部４１側）に位置する。また、棚板１３の棚板本体３３の両側部後端には、支持部４４が下方に向かって突出形成されている（傾斜操作部材１７を見やすくするため、図３のみに破線で示す）。この支持部４４の下端は内側に直角に折曲されており、傾斜操作部材１７の当接部４１は、この支持部４４の下端上方の内側で移動自在とされている。
【００３４】
以上の構成で、実施例の棚装置１２の動作と操作手順について説明する。先ず、図１〜図８は前述した如く棚装置１２の棚板１３が水平とされた状態である。この水平状態では、傾斜操作部材１７はその前部の操作部３９が引き上げられ、後部の当接部４１が降下した状態であり、案内部１８は傾斜操作部材１７の内側に位置し、棚板１３が前後に移動されても傾斜操作部材１７（当接部４１）は案内部１８に当接せず、両者は干渉し合わない状態である。
【００３５】
また、傾斜操作部材１７後部の当接部４１は棚板１３の保持部４４下端に当接して保持されている。尚、前述した如く回動軸４３は傾斜操作部材１７の重心よりも前方に位置しているので、傾斜操作部材１７は常に回動軸４３を中心として図３中時計周りに回動しようとする。これにより、上述した如く操作部３９が引き上げられ、当接部４１が保持部４４に保持された状態が、傾斜操作部材１７の自重により維持される。
【００３６】
この水平状態（図１〜図５）から、棚板１３を傾斜状態に切り換える際には、最初に左右両側のスライドレール１６のストッパ３１を操作し、移動レール２８の規制を解除して、棚板１３を図７、図８の如く前方に引き出す。次に、図９、図１０の如く左右両側の傾斜操作部材１７の前部の操作部３９を押し下げる。
【００３７】
前部の操作部３９が押し下げられると、傾斜操作部材１７は回動軸４３を中心に図７中反時計回りに回動するので、後部の当接部４１は上昇し、回動軸４３より後側の上縁に位置する傾斜保持部４２は、棚板本体３３の両側後部の下面に当接する。また、この傾斜保持部４２の後側の部分の傾斜操作部材１７は棚板本体３３に取り付けられた磁石３８に着脱自在に吸着されるので、傾斜操作部材１７の操作部３９が押し下げられた状態は保持される（図９、図１０）。
【００３８】
このとき、傾斜操作部材１７の当接部４１の位置は、図１０に破線矢印で示す如く案内部１８の前端部よりも少なくとも高い位置に来る。この図９、図１０の状態で、棚板１３を破線矢印の如く後方の陳列室６内に押し込むと、やがて傾斜操作部材１７の後部の当接部４１下縁に形成されたヒレ部４１Ａが案内部１８の上面（滑り材２４）に当接する。そして、更に棚板１３を後方に押し込むと、当接部４１のヒレ部４１Ａが案内部１８の上面の滑り材２４を滑り、その傾斜に案内されて上昇する。
【００３９】
このとき、傾斜操作部材１７の傾斜保持部４２は棚板本体３３の下面に当接しているので、傾斜操作部材１７は棚板１３の後部を押し上げ、棚板１３は回動軸３７を中心に図１０中反時計回りに回動する。これにより、棚板１３の後部は前部より高く押し上げられるので、最終的に棚板１３が陳列室６内に格納された状態では、図１１〜図１４に示す如く、棚板１３は前部が低く、後部が高く傾斜した状態に切り換わる。
【００４０】
このような傾斜状態から棚板１３を水平に戻す際には、図９の如く再び棚板１３を前方に引き出し、傾斜操作部材１７の操作部３９を引き上げる（図７の状態）。これにより、傾斜操作部材１７は磁石３８から離れ、棚板１３は水平に戻る。その状態で後方の陳列室６内に棚板１３を押し込めばよい。この後方への移動の過程で傾斜操作部材１７の当接部４１は案内部１８に当接せず、案内部１８は傾斜操作部材１７の内側に位置することになる。
【００４１】
以上詳述した如く、本発明では前部に操作部３９と後部に当接部４１を一体に有して前後に渡る傾斜操作部材１７を棚板１３の棚板側板３６に回動自在に取り付け、前部が低く、後部が高く傾斜した案内部１８をブラケット１４に設け、棚板１３の棚板側板３６の前部をスライドレール１６の棚取付板３２に回動自在に取り付け、棚板１３を前方に引き出した状態で傾斜操作部材１７の操作部３９を引き上げ、その状態で棚板１３を後方に押し込んだ場合、当接部４１は案内部１８に当接せず、棚板１３は水平になるようにすると共に、棚板１３を前方に引き出した状態で傾斜操作部材１７の操作部３９を押し下げたとき、当該傾斜操作部材１７の上縁の傾斜保持部４２が棚板１３の棚板本体３３の下面に当接し、その状態で棚板１３を後方に押し込んだ場合、当接部４１の下縁が案内部１８に当接し、この案内部１８の傾斜によって棚板１３の後部を前部より高く押し上げ、当該棚板１３が、その前部が低く、後部が高く傾斜するようにしたので、棚板１３を引き出し、次に傾斜操作部材１７を引き上げ／押し下げ、最後に棚板１３を押し込むと云った簡単な操作のみで、棚板１３が水平となる状態と、前部が低く、後部が高く傾斜した状態とに切り換えることができるようになる。
【００４２】
特に傾斜操作部材１７は、前部に操作部３９と後部に当接部４１を一体に有する構成とされているので、構造が簡素化されると共に、動作も単純なものとなるので、部品・組立のバラツキにより切り換えが行えなくなる不都合の発生も防止、若しくは、抑制することが可能となり、棚板１３の状態を確実に切り換えることができるようになるものである。
【００４３】
また、実施例では傾斜操作部材１７を回動自在に枢支する回動軸４３を、当該傾斜操作部材１７の重心よりも前方に位置させたので、傾斜操作部材１７の前部の操作部３９が引き上げられた状態を、自重により維持することができるようになる。これにより、傾斜操作部材１７の状態が不安定となって、傾斜させる必要がないときに傾斜操作部材１７が案内部１８に当接することも無くなり、棚板１３の状態を切り換える作業に支障を来す不都合も未然に回避することができるようになる。
【００４４】
この場合、実施例では傾斜操作部材１７の前後方向の長さ寸法をＬとした場合、回動軸４３を、傾斜操作部材１７の重心よりも前方であって、当該傾斜操作部材１７の前端よりＬ／３以上後方で、且つ、後端よりＬ／３以上前方の範囲内に位置させたので、前部の操作部３９の引き上げ／押し下げの操作感を維持しながら、後部における当接部４１の上下位置の変化幅を十分にとって、棚板１３の状態の切り換えを確実に行うことができるようになる。
【００４５】
更に、実施例では傾斜操作部材１７が棚板１３に当接した状態を着脱自在に保持する保持部材（磁石３８）を設けているので、棚板１３を傾斜した状態に切り換える際、傾斜操作部材１７の操作部３９を押し下げるのみで、傾斜操作部材１７の状態を保持させることができるようになる。これにより、傾斜操作部材１７を押し下げながら棚板１３を押し込むという面倒な作業を排除し、操作性の向上を図ることができるようになる。
【００４６】
この場合、実施例では棚板１３の棚板本体３３と傾斜操作部材１７を磁性体にて構成し、保持部材を磁石３８にて構成しているので、傾斜操作部材１７が棚板１３の棚板本体３３に当接した状態を、簡単な構成で着脱自在に保持することができるようになる。
【００４７】
更にまた、実施例では傾斜操作部材１７の当接部４１の下縁にヒレ部４１Ａを形成し、このヒレ部４１Ａを後方に向かって高く傾斜させているので、傾斜操作部材１７の操作部３９を押し下げた状態で棚板１３を押し込んだときに、当接部４１下縁が案内部１８に噛み込み、引っ掛かってしまう等の不都合を回避し、当接部４１を案内部１８の傾斜に沿って円滑に移動させることが可能となる。これにより、棚板１３を傾斜した状態に切り換える作業が円滑化される。
【００４８】
また、実施例では案内部１８の上面を、フッ素樹脂製の滑り材２４にて構成しているので、当接部４１のヒレ部４１Ａを案内部１８の傾斜に沿って極めて円滑に移動させることができるようになる。特に、当接部４１下縁のヒレ部４１Ａを、後方に向かって高く傾斜させていることから、当接部４１下縁が案内部１８の滑り材２４に食い込んでしまうことも防止できる。
【００４９】
尚、実施例では棚板本体３３と傾斜操作部材１７の双方を磁性体にて構成したが、何れか一方のみを磁性体とし、他方に磁石３８を取り付ける構成でもよい。また、実施例では保持部材を磁石３８にて構成したが、それに限らず、一方を他方に押し込むことで着脱自在に保持できる所謂キャッチャー等で構成してもよい。更に、実施例では案内部１８の上面に滑り材２４をコーティングしたが、それに限らず、案内部１８自体を滑り材で構成してもよく、全体を滑り材でコーティングしてもよい。
【符号の説明】
【００５０】
１  ショーケース
６  陳列室
１２  棚装置
１３  棚板
１４  ブラケット
１６  スライドレール
１７  傾斜操作部材
１８  案内部
２４  滑り材
２７  固定レール
２８  移動レール
３２  棚取付板
３３  棚板本体
３６  棚板側板
３７  回動軸
３８  磁石（保持部材）
３９  操作部
４１  当接部
４１Ａ  ヒレ部
４３  回動軸
【図１】
2019076183.tif 000003
【図２】
2019076183.tif 000004
【図３】
2019076183.tif 000005
【図４】
2019076183.tif 000006
【図５】
2019076183.tif 000007
【図６】
2019076183.tif 000008
【図７】
2019076183.tif 000009
【図８】
2019076183.tif 000010
【図９】
2019076183.tif 000011
【図１０】
2019076183.tif 000012
【図１１】
2019076183.tif 000013
【図１２】
2019076183.tif 000014
【図１３】
2019076183.tif 000015
【図１４】
2019076183.tif 000016